(57)【要約】  無線通信方法は、第１のコアネットワークとユーザ装置との間の接続を提供するために無線通信ネットワーク内の第１のネットワーク要素を動作させることであって、無線通信ネットワークは第１のコアネットワークとユーザ装置との間のセカンダリコネクティビティを提供するように構成された第２のネットワーク要素を含む、動作させることと、第１のネットワーク要素によって、第２のコアネットワークとのコネクティビティを提供するように構成された第３のネットワーク要素へのハンドオーバにおいて、第２のネットワーク要素の構成情報を第３のネットワーク要素に通信することと、を含む。【選択図】図７
2020535743.tif 000002
【特許請求の範囲】
【請求項１】
第１のコアネットワークとユーザ装置との間のコネクティビティを提供するために無線通信ネットワーク内の第１のネットワーク要素を動作させることであって、前記無線通信ネットワークは前記第１のコアネットワークと前記ユーザ装置との間のセカンダリコネクティビティを提供するように構成された第２のネットワーク要素を含む、動作させることと、
前記第１のネットワーク要素によって、第２のコアネットワークとのコネクティビティを提供するように構成された第３のネットワーク要素へのハンドオーバにおいて、前記第２のネットワーク要素の構成情報を前記第３のネットワーク要素に通信することと、を含む無線通信方法。
【請求項２】
前記第１のコアネットワーク及び前記第２のコアネットワークは、同じコアネットワークである請求項１に記載の方法。
【請求項３】
前記第１のコアネットワーク及び前記第２のコアネットワークは、異なるコアネットワークである請求項１に記載の方法。
【請求項４】
前記第１のネットワーク要素及び前記第３のネットワーク要素は、第１の無線アクセス技術（ＲＡＴ）を使用して動作する、請求項１〜３のいずれかに記載の方法。
【請求項５】
前記第１のＲＡＴは、第４世代（４Ｇ）ＲＡＴ技術である請求項４に記載の方法。
【請求項６】
前記第１のＲＡＴは、第５世代（５Ｇ）ＲＡＴ技術である請求項４に記載の方法。
【請求項７】
前記第２のネットワーク要素及び前記第４のネットワーク要素は、第２のＲＡＴを使用して動作する、請求項１〜３のいずれかに記載の方法。
【請求項８】
前記第１のＲＡＴ及び前記第２のＲＡＴは、異なるプロトコル標準に対応する、請求項４及び７に記載の方法。
【請求項９】
前記第１のＲＡＴ及び前記第２のＲＡＴは、同じプロトコル標準に対応する、請求項４及び７に記載の方法。
【請求項１０】
前記第２のネットワーク要素の前記構成情報は、コンテナ、コンテナ及び複数の明示的情報要素、複数のコンテナ、又は、複数のコンテナ及び複数の明示的情報要素のうちの１つのデータ構造を使用して通信される、請求項１〜９のいずれかに記載の方法。
【請求項１１】
第１のコアネットワークへのコネクティビティを提供するために第１のネットワーク要素を動作させることと、
ユーザ装置が第２のネットワーク要素からハンドオーバされたときに、前記第２のネットワーク要素から第２のコアネットワークへのコネクティビティを提供する情報を受信することであって、前記情報は前記第２のコアネットワークへのセカンダリコネクティビティを提供する第３のネットワーク要素の特性を識別する、受信することと、
前記情報に基づいて、前記第３のネットワーク要素と前記第１のネットワーク要素の第４のネットワーク要素との間のセカンダリコネクティビティネットワーク要素を選択的に決定することであって、前記第４のネットワーク要素が、前記第１のコアネットワークへのコネクティビティを提供するように構成される、選択的に決定することと、を含む無線通信方法。
【請求項１２】
新たに選択された第４のネットワーク要素について、前記第３のネットワーク要素の前記情報を前記第４のネットワーク要素に送信することをさらに含む、請求項１１に記載の方法。
【請求項１３】
前記第３のネットワーク要素の前記情報は、コンテナ、コンテナ及び複数の明示的情報要素、複数のコンテナ、又は、複数のコンテナ及び複数の明示的情報要素のうちの１つのデータ構造を使用して送信される、請求項１２に記載の方法。
【請求項１４】
前記第１のコアネットワーク及び前記第２のコアネットワークは、同じコアネットワークである請求項１１に記載の方法。
【請求項１５】
前記第１のコアネットワーク及び前記第２のコアネットワークは、異なるコアネットワークである請求項１１に記載の方法。
【請求項１６】
前記第２のネットワーク要素及び前記第３のネットワーク要素は、第１の無線アクセス技術（ＲＡＴ）を使用して動作する、請求項１１〜１５のいずれかに記載の方法。
【請求項１７】
前記第１のＲＡＴは、第４世代（４Ｇ）ＲＡＴ技術である請求項１５に記載の方法。
【請求項１８】
前記第１のＲＡＴは、第５世代（５Ｇ）ＲＡＴ技術である請求項１５に記載の方法。
【請求項１９】
前記第１のネットワーク要素及び前記第４のネットワーク要素は、第２のＲＡＴを使用して動作する、請求項１１〜１５のいずれかに記載の方法。
【請求項２０】
前記第１のＲＡＴ及び前記第２のＲＡＴは、異なるプロトコル標準に対応する、請求項１６及び１９に記載の方法。
【請求項２１】
前記第１のＲＡＴ及び前記第２のＲＡＴは、同じプロトコル標準に対応する、請求項１６及び１９に記載の方法。
【請求項２２】
前記第２のネットワーク要素からの前記情報は、コンテナ、コンテナ及び複数の明示的情報要素、複数のコンテナ、又は、複数のコンテナ及び複数の明示的情報要素のうちの１つのデータ構造に含まれる、請求項１１〜２１のいずれかに記載の方法。
【請求項２３】
前記データ構造は、前記第１のネットワーク要素の少なくともいくつかの構成情報をさらに含む、請求項１０に記載の方法。
【請求項２４】
前記データ構造は、前記第１のネットワーク要素の少なくともいくつかの情報をさらに含む、請求項１３に記載の方法。
【請求項２５】
前記データ構造は、前記第３のネットワーク要素の少なくともいくつかの情報をさらに含む、請求項２２に記載の方法。
【請求項２６】
請求項１〜２５のいずれかに記載の方法を実行するように構成されたプロセッサを備える無線通信装置。
【請求項２７】
プロセッサによって請求項１〜２５の方法のいずれかを実行するためのコードを有するコンピュータ可読プログラム媒体を備えるコンピュータプログラム製品。
【発明の詳細な説明】
【技術分野】
【０００１】
本開示は、無線通信のためのシステム、装置及び技術に関する。
【背景技術】
【０００２】
より高い展開柔軟性、多数のデバイス及びサービスのサポート、並びに効率的な帯域幅利用のための種々の技術を提供する次世代無線通信ネットワークを定義するための努力が、現在進行中である。より良好な帯域幅利用のために、より高いサービス品質を提供するための新しい方法を含む様々な技術が議論されている。
【発明の概要】
【０００３】
本明細書は、特に、１つのセルから別のセルへの移動中にユーザ装置にマスタ及びセカンダリ基地局サポートを提供するための技術について説明する。
【０００４】
１つの例示的な態様では、無線通信方法が開示される。前記方法は、第１のコアネットワークとユーザ装置との間のコネクティビティを提供するために、無線通信ネットワーク内の第１のネットワーク要素を動作させることであって、前記無線通信ネットワークは、前記第１のコアネットワークと前記ユーザ装置との間のセカンダリコネクティビティを提供するように構成された第２のネットワーク要素を含む、動作させることと、前記第１のネットワーク要素によって、前記第２のコアネットワークとのコネクティビティを提供するように構成された第３のネットワーク要素へのハンドオーバにおいて、前記第２のネットワーク要素の構成情報を前記第３のネットワーク要素に通信することと、を含む。
【０００５】
いくつかの実施形態では、前記第１のコアネットワーク及び前記第２のコアネットワークが同じコアネットワークである。いくつかの実施形態では、前記第１のコアネットワーク及び前記第２のコアネットワークが異なるコアネットワークである。
【０００６】
いくつかの実施形態では、前記第１のネットワーク要素及び前記第３のネットワーク要素が第１の無線アクセス技術（ＲＡＴ）を使用して動作する。前記第１のＲＡＴは、第４世代（４Ｇ）ＲＡＴ技術であってもよい。第１のＲＡＴは、第５世代（５Ｇ）ＲＡＴ技術であってもよい。
【０００７】
いくつかの実施形態では、前記第２のネットワーク要素及び前記第４のネットワーク要素が第２のＲＡＴを使用して動作する。いくつかの実装形態では、前記第１のＲＡＴ及び前記第２のＲＡＴが異なるプロトコル標準に対応する。いくつかの実装形態では、前記第１のＲＡＴ及び前記第２のＲＡＴが同じプロトコル標準に対応する。
【０００８】
いくつかの実施形態では、前記第２のネットワーク要素の前記構成情報が、コンテナ、コンテナ及び複数の明示的情報要素、複数のコンテナ、又は、複数のコンテナ及び複数の明示的情報要素のうちの１つのデータ構造を使用して通信される。
【０００９】
別の例示的な態様では、無線通信が開示される。前記方法は、第１のネットワーク要素を動作させて第１のコアネットワークにコネクティビティを提供することと、ユーザ装置が第２のネットワーク要素からハンドオーバされたときに、第２のコアネットワークにコネクティビティを提供する前記第２のネットワーク要素からの情報を受信することであって、前記情報は、前記第２のコアネットワークにセカンダリコネクティビティを提供する第３のネットワーク要素の特性を識別する、受信することと、前記情報に基づいて、前記第３のネットワーク要素と前記第１のネットワーク要素の第４のネットワーク要素との間のセカンダリコネクティビティネットワーク要素を選択的に決定することであって、前記第４のネットワーク要素は、前記第１のコアネットワークにコネクティビティを提供するように構成される、選択的に決定することと、を含む。
【００１０】
いくつかの実施形態において、前記方法はまた、新しく選択された第４のネットワーク要素について、前記第３のネットワーク要素の前記情報を第４のネットワーク要素に送信することを含む。前記第３のネットワーク要素の前記情報は、コンテナ、コンテナ及び複数の明示的情報要素、複数のコンテナ、又は、複数のコンテナ及び複数の明示的情報要素のうちの１つのデータ構造を使用して送信することができる。
【００１１】
いくつかの実施形態では、前記第１のコアネットワーク及び前記第２のコアネットワークが同じコアネットワークである。いくつかの実施形態では、前記第１のコアネットワーク及び前記第２のコアネットワークが異なるコアネットワークである。
【００１２】
いくつかの実施形態では、前記第２のネットワーク要素及び前記第３のネットワーク要素が第１の無線アクセス技術（ＲＡＴ）を使用して動作する。前記第１のＲＡＴは、第４世代（４Ｇ）ＲＡＴ技術であってもよい。前記第１のＲＡＴは、第５世代（５Ｇ）のＲＡＴ技術であってもよい。
【００１３】
いくつかの実施形態では、前記第１のネットワーク要素及び前記第４のネットワーク要素が第２のＲＡＴを使用して動作する。いくつかの実装形態では、前記第１のＲＡＴ及び前記第２のＲＡＴが異なるプロトコル標準に対応する。いくつかの実装形態では、前記第１のＲＡＴ及び前記第２のＲＡＴが同じプロトコル標準に対応する。
【００１４】
いくつかの実施形態では、前記第２のネットワーク要素からの前記情報が、コンテナ、コンテナ及び複数の明示的情報要素、複数のコンテナ、又は複数のコンテナ及び複数の明示的情報要素のうちの１つのデータ構造に含まれる。いくつかの実施形態では、上述のデータ構造が前記第１のネットワーク要素のいくつか又はすべての構成情報を含んでいてもよい。
【００１５】
さらに他の例示的な態様では、プロセッサを備える無線通信装置が開示される。プロセッサは、本明細書で説明される方法を実行するように構成される。
【００１６】
他の例示的な態様では、本明細書で説明される様々な技術は、プロセッサ実行可能コードとして実施され、コンピュータ可読プログラム媒体上に格納され得る。
【００１７】
１つ又は複数の実装例の詳細は、添付の添付物、図面、及び以下の説明に記載される。他の特徴は、明細書及び図面、並びに特許請求の範囲から明らかにされる。
【図面の簡単な説明】
【００１８】
【図１】ＬＴＥシステムにおけるセカンダリ基地局の変更のためのシグナリングフローの一例を示す。
【００１９】
【図２】第１のネットワーク要素から第３のネットワーク要素への端末のハンドオーバのシグナリングフローの一例を示す。
【００２０】
【図３】直接インタフェースを介してトリガされるマスタ基地局の例示的な変更を示す。
【００２１】
【図４】間接インタフェースを介してトリガされるマスタ基地局の例示的な変更を示す。
【００２２】
【図５】送信の測定情報によるマスタ基地局の例示的な変更を示す。
【００２３】
【図６】送信の測定情報によるマスタ基地局の別の例示的な変更を示す。
【００２４】
【図７】コアネットワーク及びネットワーク要素の例示的な構成の概略図を示す。
【００２５】
【図８】無線通信の例示的な方法のフローチャート表現である。
【００２６】
【図９】無線通信の例示的な方法の別のフローチャート表現である。
【００２７】
【図１０】無線通信装置の一例を示すブロック図である。
【００２８】
【図１１】本技術の１つ又は複数の実施形態による技法を適用することができる無線通信ネットワークの一例を示す。
【００２９】
種々の図面における同じ参照記号は、同じ要素を示す。
【発明を実施するための形態】
【００３０】
本明細書では以下の略称を使用している。
【００３１】
ＭｅＮＢ  マスタｅＮＢ
【００３２】
ＳｅＮＢ  セカンダリｅＮＢ
【００３３】
ＭｇＮＢ  マスタｇＮＢ
【００３４】
ＳｇＮＢ  セカンダリｇＮＢ
【００３５】
ＭＮ  マスタノード
【００３６】
ＳＮ  セカンダリノード
【００３７】
ＰＣｅｌｌ  プライマリセル
【００３８】
ＰＳＣｅｌｌ  プライマリセカンダリセル
【００３９】
Ｓｃｅｌｌ  セカンダリセル
【００４０】
セルラー移動通信システムは、何年にもわたって発展してきた。数十年の開発の後、現在の第４世代（４Ｇ、４世代）移動通信システムは、多種多様な用途を有する。帯域幅に対する増加した需要を満たすために、第５世代（５Ｇ、５世代）移動通信アーキテクチャが開発され、より高いスループット、より短い待ち時間、及び多様化されたビジネスサービスのより大きなユーザ量を提供している。ＬＴＥ（Ｌｏｎｇ  Ｔｅｒｍ  Ｅｖｏｌｕｔｉｏｎ）システムなどの４Ｇシステムの場合、基地局はｅＮＢ（Ｅ−ＵＴＲＡＮ  ＮｏｄｅＢ）と呼ばれ、コアネットワークはＥＰＣ（Ｅｖｏｌｖｅｄ  Ｐａｃｋｅｔ  Ｃｏｒｅ）と呼ばれる。５Ｇアーキテクチャでは、基地局はｇＮＢ（Ｇｌｏｂａｌ  ＮｏｄｅＢ）と呼ばれ、コアネットワークは５ＧＣ（５Ｇ  Ｇｅｎｅｒａｔｉｏｎ  Ｃｏｒｅ）と呼ばれる。
【００４１】
将来、オペレータがネットワーク配備における４Ｇ移動通信システムから５Ｇ移動通信システムにスムーズに進展できることを保証するために、５Ｇ研究の初期段階で、４Ｇ及び５Ｇ基地局（デュアルコネクティビティ、ＤＣとも呼ばれる）の両方を使用する４Ｇ／５Ｇデュアルコネクティビティソリューションが提案される。デュアルコネクティビティ通信では、接続のコアネットワークタイプと、マスタ基地局とセカンダリ基地局のタイプが異なる。可能な組み合わせは、次のような様々な４Ｇ／５Ｇデュアルリンクネットワークシナリオに分割できる。
【００４２】
１）  ４Ｇコアネットワークに同時に接続された４Ｇマスタ基地局及び５Ｇセカンダリ基地局
【００４３】
２）  ５Ｇコアネットワークに同時に接続された５Ｇマスタ基地局及び４Ｇセカンダリ基地局
【００４４】
３）  ５Ｇコアネットワークに同時に接続された４Ｇマスタ基地局及び５Ｇセカンダリ基地局
【００４５】
さらに、５Ｇ移動通信システムでは、５Ｇユーザが高帯域幅コネクティビティを受信できることを保証するために、５Ｇコアネットワーク内の５Ｇ基地局がデュアルコネクティビティのために使用される（すなわち、マスタ基地局及びセカンダリ基地局の両方が５Ｇ基地局である）。
【００４６】
本明細書では、プライマリ基地局を総称して、ＭＮ、マスタノード（ＭＮ）、又はマスタセルグループ（ＭＣＧ）と呼ぶ。セカンダリ基地局を総称して、セカンダリノード（ＳＮ）又はセカンダリセルグループ（ＳＣＧ）と呼ぶ。
【００４７】
ユーザ装置又は端末の移動性のために、上記のデュアルコネクティビティシナリオでは、端末が現在のマスタ又はセカンダリ基地局のカバレッジから外れたときに、端末はサイト更新を行うことができる。従来技術のＬＴＥシステムでは、マスタ基地局又はセカンダリ基地局を変更する以下の方法がサポートされる。
【００４８】
１．デュアルコネクティビティの場合、マスタ基地局は変化するが、セカンダリ基地局は変化しないままである。この場合はＳｅＮＢの変更なしのＭｅＮＢ間ハンドオーバと呼ばれることもある。
【００４９】
２．デュアルコネクティビティの場合、セカンダリ基地局は変化するが、マスタ基地局は変化しないままである。この場合はＳｅＮＢの変更とも呼ばれる。
【００５０】
３．デュアルコネクティビティの場合、マスタ基地局は変化し、セカンダリ基地局は除去される。この場合は、ＭｅＮＢからｅＮＢへの変更と呼ばれることもある。
【００５１】
４．シングルコネクティビティの場合（例えば、セカンダリ基地局なし）、マスタ基地局は変化し、セカンダリ基地局が追加される。この場合は、ｅＮＢからＭｅＮＢへの変更と呼ばれることもある。
【００５２】
ＬＴＥシステムにおけるデュアルコネクティビティシナリオではセカンダリ基地局が変更（例えば、ＳｅＮＢの変更）をトリガされると、プロセスはマスタ基地局によってのみ開始され得る。図１は、ＬＴＥシステムにおけるセカンダリ基地局の変更のためのシグナリングフローの一例を示す。
【００５３】
１０２において、マスタ基地局１５１は、セカンダリ基地局の変更をトリガする。
【００５４】
１０４において、マスタ基地局１５１は、変更の要求をターゲットセカンダリ基地局１５３に送信する。要求は、マスタ基地局１５１及びソースセカンダリ基地局１５２の構成情報を含むことができる。要求はまた、ターゲットセカンダリ基地局１５３のためのサービス関連情報を含むことができる。
【００５５】
１０６において、ターゲットセカンダリ基地局１５３は要求を受信し、受信した要求に基づいてターゲットセカンダリ基地局１５３において対応する構成を確立する。次に、ターゲットセカンダリ基地局１５３は、ソースセカンダリ基地局１５２とターゲットセカンダリ基地局１５３との間の構成情報を比較する。ターゲットセカンダリ基地局１５３は、比較に基づいて、ソースセカンダリ基地局１５２の構成情報とターゲットセカンダリ基地局１５３の構成情報との間の差分を表す補足構成情報を生成する。
【００５６】
１０８において、ターゲットセカンダリ基地局１５３は、応答をマスタ基地局１５１に送信する。応答は、生成された補足構成情報を含んでいてもよい。
【００５７】
次いで、１１０において、マスタ基地局１５１は、解放要求をソースセカンダリ基地局１５２に送信する。
【００５８】
１１２において、マスタ基地局１５１は、ターゲットセカンダリ基地局１５３の補足構成情報及びソースマスタ基地局１５１の他の構成情報と共に、エアインタフェース構成メッセージを端末に送信する。
【００５９】
１１４において、端末はマスタ基地局１５１からのメッセージに基づいて構成を行い、他のメッセージを送信して構成を確認する。
【００６０】
１１６において、マスタ基地局１５１は、構成が完了したことを通知するために、ターゲットセカンダリ基地局１５３に応答を送信する。
【００６１】
５Ｇデュアルコネクティビティ及び４Ｇ／５Ｇデュアルコネクティビティとは異なり、ＬＴＥシステムのデュアルコネクティビティでは、エアインタフェース構成はマスタ基地局によってのみ実行可能であるため、マスタ基地局はセカンダリ基地局の最新の無線構成情報を常に記憶する。端末の無線パラメータの補足構成を得るために、マスタ基地局から新しいターゲットセカンダリ基地局に送信される要求（すなわち、ＳＮ追加要求）は、ユーザプレーン、ＭＡＣ、及び他の関連情報のリセット及び／又は再確立を回避し、良好なユーザ経験を保証するためにパケット損失を回避するように、ターゲットセカンダリ局がその構成を調整するのをアシストするために、現在のセカンダリ基地局（すなわち、ソースセカンダリ基地局）のすべての無線構成情報を搬送することができる。
【００６２】
デュアルコネクティビティを有する従来のＬＴＥシステムにおける１つの技術的問題は、そのようなシステムがマスタ基地局とセカンダリ基地局との同時変更をサポートしないことである。この制限のために、マスタ基地局が変化するとき、セカンダリ基地局は変化しないままである。異なるセカンダリ基地局を有するために、端末は最初に古いセカンダリ基地局を削除し、次に、新しいセカンダリ基地局の追加を独立してトリガする必要がある。したがって、５Ｇデュアルコネクティビティ又は４Ｇ／５Ｇデュアルコネクティビティでは、マスタ基地局とセカンダリ基地局を同時に変更する必要がある場合に、（１）古いセカンダリ基地局を削除する、及び（２）新しいセカンダリ基地局を追加する、という２段階のプロセスが必要になる。この２段階のプロセスは、移動中のユーザデータスループット及びユーザ体験に悪影響を及ぼす可能性がある。
【００６３】
さらに、現在のＬＴＥ技術は、特に４Ｇ／５Ｇデュアルコネクティビティシナリオについて、古いセカンダリ基地局（すなわち、ソース）の構成情報を新しいセカンダリ基地局（すなわち、ターゲット）に送信するための解決策を提供しない。無線基地局は、４Ｇ／５Ｇデュアルコネクティビティシナリオにおいて異なる移動通信システムに属するので、エアインタフェース仕様の間には差異がある。さらに、４Ｇ／５Ｇデュアルコネクティビティでは、マスタ基地局及びセカンダリ基地局が互いにコード論理を理解することができない異なる無線アクセス技術に属し、別個のエアインタフェース構成又は再構成メカニズムを有することができ、セカンダリ基地局によってトリガされる部分構成又は再構成プロセスはマスタ基地局には見えない。したがって、マスタ基地局は、セカンダリ基地局から完全な構成情報を取得することができない。マスタ基地局とセカンダリ基地局とが同時に変更されている間、新たなセカンダリ基地局は、古いセカンダリ基地局の構成情報を取得することができない。したがって、新しいセカンダリ基地局は、端末のための補足構成情報をサポートすることができない。エアインタフェースの完全な構成が必要とされることがあり、これは、ユーザデータパケット損失をもたらし、それによってユーザ体験に影響を及ぼすことがある。
【００６４】
本明細書は、端末がマスタ基地局とセカンダリ基地局に同時に接続されるデュアルコネクティビティに適用可能な技術を提供する。端末がそのマスタ基地局とセカンダリ基地局とを切り替えるとき、両方の基地局を同時に切り替えることができる（セカンダリノード変更を伴うマスタ間ノードハンドオーバとも呼ばれる）。すなわち、端末は、ソースデュアルリンクマスタ及びセカンダリ基地局からターゲットデュアルリンクマスタ及びセカンダリ基地局に切り替える。
【００６５】
以下の説明では、ソースマスタ基地局を第１のネットワーク要素として定義し、ソースセカンダリ基地局を第２のネットワーク要素として定義し、ターゲットマスタ基地局を第３のネットワーク要素として定義し、ターゲットセカンダリ基地局を第４のネットワーク要素として定義し、コアネットワークを第５のネットワーク要素として定義する。図７は、コアネットワーク及びネットワーク要素の例示的な構成の概略図を示す。
【００６６】
本技法は、ターゲットセカンダリ基地局がソースセカンダリ基地局の完全な構成情報を得ることができないという問題を解決するために、ソースデュアルリンクマスタ基地局とターゲットデュアルリンクマスタ基地局との間の情報を構成するための方法及び装置を提供する。
【００６７】
図２は、第２のネットワーク要素から第４のネットワーク要素への変更を伴う、第１のネットワーク要素から第３のネットワーク要素への端末のハンドオーバのシグナリングフローの例を示す。図２において、端末は、第１のネットワーク要素２５１及び第２のネットワーク要素２５２に接続されている。第１のネットワーク要素２５１は、第２のネットワーク要素２５２の関連情報を最初に取得する。第１のネットワーク要素２５１はメッセージを第２のネットワーク要素２５２に送信してそのような情報を要求し、関連情報を含む第２のネットワーク要素２５２から応答を受信することによって、関連情報を取得することができる。いくつかの実施形態では、第２のネットワーク要素２５２は、情報が変化したときに、第１のネットワーク要素に情報を送信してもよい。第２のネットワーク要素２５２の関連情報は、１つのコンテナ、１つのコンテナ及び明示的情報要素、複数のコンテナ、又は複数のコンテナ及び明示的情報要素のうちの１つの形式のデータ構造とすることができる。コンテナは、現在のＬＴＥシステムで使用されるＳｏｕｒｃｅ  Ｔｏ  Ｔａｒｇｅｔ  Ｔｒａｎｓｐａｒｅｎｔ  Ｃｏｎｔａｉｎｅｒ又はＴａｒｇｅｔ  ｔｏ  Ｓｏｕｒｃｅ  Ｔｒａｎｓｐａｒｅｎｔ  Ｃｏｎｔａｉｎｅｒなどの透明コンテナとすることができる。各コンテナには、パラメータ設定のための複数の情報要素を含めることができる。コンテナを使用することで、ターゲットノードのみがコンテナに含まれる情報をデコードできるようになる。一方、明示的情報要素（explicit information elements）の使用は、ターゲットノード及び中間中継ノードの両方がその中に含まれる情報を復号及び／又は修正することを可能にする。データ構造はまた、第１のネットワーク要素の一部又は全部の構成情報を含むことができる。
【００６８】
第２のネットワーク要素２５２の関連情報は、第２のネットワーク要素２５２におけるプライマリセル及びセカンダリセルの構成情報と、第２のネットワーク要素２５２によって提供される関連測定情報とを含むが、これらに限定されない。いくつかの実施形態では、第２のネットワーク要素２５２におけるセカンダリセルは、キャリアアグリゲーション（ＣＡ）シナリオにおける第２の基地局におけるセカンダリセルである。いくつかの実装形態では、セカンダリセルの数が０以上である。
【００６９】
いくつかの実施形態では、第２のネットワーク要素２５２におけるプライマリセルの構成情報がキャリア構成情報、ユーザプレーン構成情報、物理リソース共通構成情報、物理リソース固有構成情報、ＭＡＣ層構成、測定構成、及び測定結果のうちの少なくとも１つを含む。
【００７０】
第２のネットワーク要素２５２におけるセカンダリセルの構成情報は、キャリア構成情報、ユーザプレーン構成情報、物理リソース共通構成情報、物理リソース固有構成情報、ＭＡＣ層構成情報、測定構成、及び測定結果のうちの少なくとも１つを含む。
【００７１】
２０２において、第１のネットワーク要素２５１は、端末が第３のネットワーク要素２５３にハンドオーバすることを開始する。第１のネットワーク要素２５１は、２０４において、第３のネットワーク要素２５３に要求を送信し、第１のネットワーク要素２５１の関連情報とともに第２のネットワーク要素２５２の関連情報を第３のネットワーク要素２５３に送信する。第１のネットワーク要素２５１は、関連情報を第３のネットワーク要素２５３に直接送信することができる。いくつかの実施形態では、第１のネットワーク要素２５１が関連情報を最初に第５のネットワーク要素２５５に送信し、次いで、情報は第５のネットワーク要素２５５から第３のネットワーク要素２５３に間接的に送信される。第２のネットワーク要素２５２の関連情報及び第１のネットワーク要素２５１の関連情報は、１つのコンテナ、１つのコンテナ及び明示的情報要素、複数のコンテナ、又は、複数のコンテナ及び明示的情報要素のうちの１つの形式のデータ構造とすることができる。データ構造はまた、第１のネットワーク要素の少なくともいくつかの構成情報を含むことができる。
【００７２】
第３のネットワーク要素２５３は、第２のネットワーク要素２５２の関連情報と第１のネットワーク要素２５１の関連情報とを取得し、２０６において、第２のネットワーク要素２５２を第４のネットワーク要素２５４に変更するか否かを判断する。第３のネットワーク要素２５３が変更すると判断した場合には、２０８において、第２のネットワーク要素２５２の関連情報を第４のネットワーク要素２５４に送信する。第２のネットワーク要素の関連情報は、１つのコンテナ、１つのコンテナ及び明示的情報要素、複数のコンテナ、又は、複数のコンテナ及び明示的情報要素のいずれかの形式のデータ構造とすることができる。データ構造はまた、第１のネットワーク要素の少なくともいくつかの構成情報を含むことができる。
【００７３】
いくつかの実施形態では、第３のネットワーク要素２５３は、取得された測定情報に基づいて、変更を実行するか否かを決定することができる。第３のネットワーク要素２５３によって取得される測定情報は、第１のネットワーク要素２５１によって提供される測定情報、及び／又は第２のネットワーク要素２５２によって提供される測定情報を含むことができる。受信された測定情報は、１つのコンテナ、１つのコンテナ及び明示的情報要素、複数のコンテナ、又は、複数のコンテナ及び明示的情報要素の形式のうちの１つのデータ構造とすることができる。データ構造はまた、第１のネットワーク要素の少なくともいくつかの構成を含み得る。
【００７４】
いくつかの実施形態では、第３のネットワーク要素２５３は、第１のネットワーク要素２５１から第３のネットワーク要素２５３への情報の直接送信によって、第１のネットワーク要素２５１によって提供される測定情報を取得する。あるいは、第１のネットワーク要素２５１から第５のネットワーク要素２５５に情報を送信することができ、第５のネットワーク要素２５５によって第３のネットワーク要素２５３に情報を間接的に送信する。
【００７５】
いくつかの実施形態では、第３のネットワーク要素２５３は、以下のステップを使用して、第２のネットワーク要素２５２によって提供される測定情報を取得する。（１）第１のネットワーク要素２５１が第２のネットワーク要素２５２の関連情報を取得し、（２）第１のネットワーク要素２５１が情報を第３のネットワーク要素２５３に直接送信する。あるいは、第３のネットワーク要素２５３は、以下のステップを使用して、測定情報を取得してもよい。（１）第１のネットワーク要素２５１が第２のネットワーク要素２５２の関連情報を取得し、（２）第１のネットワーク要素２５１が第５のネットワーク要素２５５に情報を送信し、（３）第５のネットワーク要素２５５が第３のネットワーク要素２５３に情報を間接的に送信する。各情報伝送において、測定情報は、１つのコンテナ、１つのコンテナ及び明示的情報要素、複数のコンテナ、又は、複数のコンテナ及び明示的情報要素の形式のうちの１つのデータ構造とすることができる。データ構造はまた、第１のネットワーク要素の少なくともいくつかの構成情報を含むことができる。
【００７６】
いくつかの実施形態では、第３のネットワーク要素２５３は、第４のネットワーク要素２５４がプライマリセル選択を実行するために、第２のネットワーク要素２５２の取得された関連情報及び／又は測定情報を第４のネットワーク要素２５４に渡すことができる。関連情報及び測定情報は、１つのコンテナ、１つのコンテナ及び明示的情報要素、複数のコンテナ、又は、複数のコンテナ及び明示的情報要素の形式のうちの１つのデータ構造とすることができる。さらに、第２のネットワーク要素２５２の関連情報を受信した後、第４のネットワーク要素２５４は、受信された情報、無線リソース構成情報、測定構成情報などに基づいて補足構成情報を生成することができる。第４のネットワーク要素２５４は、２１０において、補足構成情報を第３のネットワーク要素２５３に送信することができる。第３のネットワーク要素２５３はさらに、２１２において、第３のネットワーク要素２５３が生成した他のタイプの情報と共に第４のネットワーク要素２５４の補足構成情報を第１のネットワーク要素２５１に送信してもよい。データ構造はまた、第１のネットワーク要素の少なくとも一部又は全部の構成情報を含んでいてもよい。
【００７７】
いくつかの実施形態において、第３のネットワーク要素２５３は、第１のネットワーク要素２５１に直接送信することができる。いくつかの実施形態では、第３のネットワーク要素２５３は第５のネットワーク要素２５５に情報を送信し、情報は第５のネットワーク要素２５５によって第１のネットワーク要素２５１に間接的に送信される。
【００７８】
２１４において、第１のネットワーク要素２５１は、第２のネットワーク要素２５２に解放要求を送信する。
【００７９】
２１６において、第１のネットワーク要素２５１は、エアインタフェース構成メッセージを端末に送信して、関連構成情報を端末に転送する。
【００８０】
２１８において、端末は、第１のネットワーク要素２５１からのメッセージに基づいて構成を実行し、第３のネットワーク要素２５３に別のメッセージを送信して接続を確立する。
【００８１】
２２０において、第３のネットワーク要素２５３は、確認メッセージを第４のネットワーク要素２５４に送信して、新しい接続を確認する。
【００８２】
上記の方法は、以下の実施形態においてさらに説明される。
【００８３】
例示的な実施形態１
【００８４】
図３は、ソースマスタ基地局とターゲットマスタ基地局との間の直接インタフェースを介してトリガされるマスタ基地局の例示的な変更を示す。
【００８５】
ステップ１：ソースマスタ基地局は、３０２において、ソースセカンダリ基地局の構成情報を取得する。ソースマスタ基地局は、メッセージをソースセカンダリ基地局に送信することによって、情報を取得することができる。あるいは、ソースセカンダリ基地局がその情報が変化したときに、その情報をソースマスタ基地局に送信してもよい。ソースセカンダリ基地局の取得された情報は、１つのコンテナ、１つのコンテナ及び明示的情報要素、複数のコンテナ、又は、複数のコンテナ及び明示的情報要素の形式のうちの１つのデータ構造とすることができる。
【００８６】
ステップ２：ソースマスタ基地局は、３０４において、基地局の変更をトリガすることを決定する。ソースマスタ基地局は、３０６において、ターゲットマスタ基地局に変更要求を送信する。変更要求には、ソースマスタ基地局の構成情報を含めることができる。変更要求は、以前に取得されたソースセカンダリ基地局の構成情報を含むこともできる。
【００８７】
いくつかの実施形態では、メッセージがハンドオーバ要求メッセージであってもよい。ソース基地局の情報及びソースセカンダリ基地局の情報は、１つのコンテナ、１つのコンテナ及び明示的情報要素、複数のコンテナ、又は、複数のコンテナ及び明示的情報要素の形式のうちの１つのデータ構造とすることができる。セカンダリ基地局の構成情報は、セカンダリ基地局におけるプライマリセル（ＰＳＣｅｌｌ）及びセカンダリセル（ＳＣｅｌｌ）の構成情報を含む。
【００８８】
いくつかの実施形態では、セカンダリ基地局のセカンダリセルがセカンダリ基地局のキャリアアグリゲーション（ＣＡ）シナリオにおけるセカンダリセルである。セカンダリセルの数は０以上である。
【００８９】
いくつかの実施形態では、プライマリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【００９０】
いくつかの実施形態では、セカンダリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【００９１】
ステップ３：ターゲットマスタ基地局は、構成情報を受信した後、３０８において、セカンダリ基地局の変更が必要であるかどうかを判定する。ターゲットマスタ基地局は、変更が必要であると決定した場合、３１０において、要求をターゲットセカンダリ基地局に送信する。この要求には、ターゲットマスタノードの構成情報を含めることができる。要求には、サービス情報及びソースセカンダリ基地局の構成情報を含めることもできる。
【００９２】
いくつかの実施形態では、ターゲットマスタ基地局によって送信される要求がＳＮ追加要求メッセージである。いくつかの実施形態では、ターゲットマスタノードの構成情報及びソースセカンダリ基地局の構成情報は、１つのコンテナ、１つのコンテナ及び明示的情報要素、複数のコンテナ、又は、複数のコンテナ及び明示的情報要素のうちの１つの形式のデータ構造とすることができる。
【００９３】
ステップ４：ターゲットセカンダリ基地局は、ターゲットマスタ基地局から要求を受信した後、３１２において、メッセージ内のサービス情報に基づいて、リソース割当てを実行する。ターゲットセカンダリ基地局は、ターゲットセカンダリ基地局とソースセカンダリ基地局との間の構成情報を比較して、ターゲットセカンダリ基地局のための補足構成情報を生成することができる。
【００９４】
ステップ５：ターゲットセカンダリ基地局は、３１４において、応答メッセージを介して、ターゲットセカンダリ基地局に対してリソース割当てが成功したことを示す補足構成情報をターゲットマスタ基地局に送信する。
【００９５】
いくつかの実施形態では、応答メッセージは、ＳＮ追加要求確認メッセージである。いくつかの実装形態では、補足構成情報は、１つのコンテナ、又は１つのコンテナ及び明示的情報要素、又は１つ以上のコンテナ、又は１つ以上のコンテナ及び明示的情報要素のうち１つの形式のデータ構造とすることができる。
【００９６】
ステップ６：応答メッセージを受信した後、ターゲットマスタ基地局は、３１６において、応答メッセージを介して、ターゲットマスタ基地局の構成情報及び／又はターゲットセカンダリ基地局の補足構成情報をソースマスタ基地局に送信する。
【００９７】
いくつかの実施形態では、応答メッセージがハンドオーバ要求確認メッセージであってもよい。ターゲットマスタ基地局の構成情報及び／又はターゲットセカンダリ基地局の補足構成情報は、応答メッセージにおいて、１つのコンテナ、１つのコンテナ及び明示的情報要素、複数のコンテナ、又は、複数のコンテナ及び明示的情報要素のうち１つの形式とすることができる。
【００９８】
ステップ７：応答メッセージを受信した後、ソースマスタ基地局は、３１８において、ソースセカンダリ基地局に解放要求メッセージを送信し、ソースセカンダリ基地局にリソース解放を通知する。
【００９９】
ステップ８：ソースマスタ基地局はまた、３２０において、エアインタフェース構成メッセージを端末に送信して、関連構成情報を端末に転送する。
【０１００】
ステップ９：端末がエアインタフェース構成を完了した後、ターゲットマスタ局及びターゲットセカンダリ基地局のランダムアクセス手順が開始され、３２２において、エアインタフェース構成成功メッセージがターゲットマスタ基地局に送信される。
【０１０１】
ステップ１０：３２４において、ターゲットマスタ基地局において応答を受信した後、ターゲットマスタ基地局は、ターゲットセカンダリ基地局に新しい接続を通知する。
【０１０２】
ステップ１１：ネットワークは、ユーザデータバックプロパゲーション及び対応するコア側上位層スイッチングプロセスを実行する。
【０１０３】
例示的な実施形態２
【０１０４】
図４は、間接インタフェースを介してトリガされるマスタ基地局の例示的な変更を示す。この例は、ソースマスタ基地局とターゲットマスタ基地局間に直接インタフェースがない場合、又はコアネットワークタイプが変更された場合に適用できる。
【０１０５】
ステップ１：ソースマスタ基地局は、４０２において、ソースセカンダリ基地局の構成情報を取得する。ソースマスタ基地局は、メッセージをソースセカンダリ基地局に送信することによって、情報を取得することができる。あるいは、ソースセカンダリ基地局がその情報が変化したときに、その情報をソースマスタ基地局に送信してもよい。ソースセカンダリ基地局の取得された情報は、１つのコンテナ、又は１つのコンテナ及び明示的情報要素、又は複数のコンテナ、又は、複数のコンテナ及び明示的情報要素の形式のうちの１つのデータ構造とすることができる。データ構造はまた、ソースマスタ基地局の一部又は全部の構成情報を含むことができる。
【０１０６】
ステップ２：ソースマスタ基地局は、４０４において、基地局の変更をトリガすることを決定する。ソースマスタ基地局は、４０６において、変更要求をコアネットワークに送信する。変更要求には、ソースマスタ基地局の構成情報を含めることができる。また、変更要求には、ステップ１で取得したソースターゲット基地局の構成情報が含まれていてもよい。
【０１０７】
いくつかの実施形態では、メッセージがハンドオーバ要求メッセージであってもよい。ソース基地局の情報及びソースセカンダリ基地局の情報は、１つのコンテナ、１つのコンテナ及び明示的情報要素、複数のコンテナ、又は、複数のコンテナ及び明示的情報要素の形式のうちの１つのデータ構造とすることができる。セカンダリ基地局の構成情報には、セカンダリ基地局におけるプライマリセル（ＰＳＣｅｌｌ）及びセカンダリセル（ＳＣｅｌｌ）の構成情報が含まれる。
【０１０８】
いくつかの実施形態では、セカンダリ基地局のセカンダリセルは、セカンダリ基地局のキャリアアグリゲーション（ＣＡ）シナリオにおけるセカンダリセルである。セカンダリセルの数は０以上である。
【０１０９】
いくつかの実施形態では、プライマリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【０１１０】
いくつかの実施形態では、セカンダリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【０１１１】
ステップ３：コアネットワークは、上記メッセージ及び構成情報を受信した後、４０８において、メッセージに含まれるターゲットマスタ基地局の識別子に基づいて、ターゲットマスタ基地局にメッセージを送信する。メッセージはまた、サービス情報、ソースマスタ基地局の構成情報、及びソースセカンダリ基地局の構成情報を含むことができる。
【０１１２】
いくつかの実施形態では、メッセージがハンドオーバ要求メッセージであってもよい。いくつかの実装形態では、ソース基地局の情報及びソースセカンダリ基地局の情報は、１つのコンテナ、１つのコンテナ及び明示的情報要素、複数のコンテナ、又は、複数のコンテナ及び明示的情報要素のうちの１つの形式とすることができる。
【０１１３】
ステップ４：ターゲットマスタ基地局は、コアネットワークからメッセージ及び構成情報を受信した後、４１０において、セカンダリ基地局を変更する必要があるか否かを判断する。ターゲットマスタ基地局は、変更する必要があると判断した場合、４１２において、要求をターゲットセカンダリ基地局に送信する。この要求には、ターゲットマスタノードの構成情報を含めることができる。要求には、サービス情報及びソースセカンダリ基地局の構成情報を含めることもできる。
【０１１４】
いくつかの実施形態では、ターゲットマスタ基地局によって送信される要求は、ＳＮ追加要求メッセージである。いくつかの実装形態では、ターゲットマスタノードの構成情報及びソースセカンダリ基地局の構成情報は、１つのコンテナ、１つのコンテナ及び明示的情報要素、複数のコンテナ、又は、複数のコンテナ及び明示的情報要素のうちの１つの形式のデータ構造とすることができる。データ構造はまた、ソースマスタ基地局のいくつか又は全ての構成情報を含むことができる。
【０１１５】
ステップ５：ターゲットマスタ基地局から要求を受信した後、ターゲットセカンダリ基地局は、４１４において、メッセージ内のサービス情報に基づいてリソース割当てを実行する。ターゲットセカンダリ基地局は、ターゲットセカンダリ基地局とソースセカンダリ基地局との間の構成情報を比較して、ターゲットセカンダリ基地局のための補足構成情報を生成することができる。
【０１１６】
ステップ６：ターゲットセカンダリ基地局は、４１６において、応答メッセージを介して、ターゲットセカンダリ基地局に対してリソース割当てが成功したことを示す補足構成情報をターゲットマスタ基地局に送信する。
【０１１７】
いくつかの実施形態では、応答メッセージは、ＳＮ追加要求確認メッセージである。いくつかの実装形態では、補足構成情報は、１つのコンテナ、１つのコンテナ及び明示的情報要素、複数のコンテナ、又は、複数のコンテナ及び明示的情報要素のいずれかの形式とすることができる。
【０１１８】
ステップ７：応答メッセージを受信した後、ターゲットマスタ基地局は、４１８において、別の応答メッセージを介して、ターゲット基地局の構成情報及び／又はターゲットセカンダリ基地局の補足構成情報をコアネットワークに送信する。
【０１１９】
いくつかの実施形態では、応答メッセージは、ハンドオーバ要求確認メッセージであってもよい。ターゲットマスタ基地局の構成情報及び／又はターゲットセカンダリ基地局の補足構成情報は、応答メッセージにおいて、１つのコンテナ、１つのコンテナ及び明示的情報要素、複数のコンテナ、又は複数のコンテナ及び明示的情報要素のうちの１つの形式のデータ構造とすることができる。
【０１２０】
ステップ８：上記メッセージ及び構成情報を受信した後、コアネットワークは、４２０において、ソースマスタ基地局に応答メッセージを送信する。応答メッセージは、ターゲットマスタ基地局の構成情報及び／又はターゲットセカンダリ基地局の補足構成情報を含むことができる。
【０１２１】
いくつかの実施形態では、応答メッセージは、ハンドオーバコマンドメッセージである。ターゲット基地局の構成情報及び／又はターゲットセカンダリ基地局の補足構成情報は、応答メッセージにおいて、１つのコンテナ、１つのコンテナ及び明示的情報要素、複数のコンテナ、又は、複数のコンテナ及び明示的情報要素のうちの１つの形式とすることができる。
【０１２２】
ステップ９：応答メッセージを受信した後、ソースマスタ基地局は、４２２において、ソースセカンダリ基地局に解放要求メッセージを送信し、ソースセカンダリ基地局にリソース解放を通知する。
【０１２３】
ステップ１０：ソースマスタ基地局はまた、４２４において、エアインタフェース構成メッセージを端末に送信して、関連構成情報を端末に転送する。
【０１２４】
ステップ１１：端末がエアインタフェース構成を完了した後、ターゲットマスタ基地局及びターゲットセカンダリ基地局のランダムアクセス手順が開始され、４２６において、エアインタフェース構成成功メッセージがターゲットマスタ基地局に送信される。
【０１２５】
ステップ１２：４２８において、ターゲットマスタ基地局において応答を受信した後、ターゲットマスタ基地局は、ターゲットセカンダリ基地局に新しい接続を通知する。
【０１２６】
ステップ１３：ネットワークは、ユーザデータバックプロパゲーション及び対応するコア側上位層スイッチングプロセスを実行する。
【０１２７】
例示的な実施形態３
【０１２８】
図５は、送信の測定情報によるマスタ基地局の例示的な変更を示す。
【０１２９】
ステップ１：ソースマスタ基地局は、５０２において、ソースセカンダリ基地局の構成情報を取得する。ソースマスタ基地局は、メッセージをソースセカンダリ基地局に送信することによって、情報を取得することができる。あるいは、ソースセカンダリ基地局は、その情報が変化したときに、その情報をソースマスタ基地局に送信してもよい。ソースセカンダリ基地局の取得された情報は、１つのコンテナ、１つのコンテナ及び明示的情報要素、複数のコンテナ、又は、複数のコンテナ及び明示的情報要素の形式のうちの１つとすることができる。
【０１３０】
ステップ２：ソースマスタ基地局は、５０４において、基地局の変更をトリガすることを決定する。ソースマスタ基地局は、５０６において、ターゲットマスタ基地局に変更要求を送信する。変更要求には、ソースマスタ基地局の構成情報を含めることができる。変更要求は、以前に取得されたソースセカンダリ基地局の構成情報を含むこともできる。変更要求は、端末からソースマスタ基地局に送信される測定結果をさらに含むことができる。
【０１３１】
いくつかの実施形態では、メッセージは、ハンドオーバ要求メッセージであってもよい。ソース基地局の情報及びソースセカンダリ基地局の情報、ならびに測定情報／結果は、１つのコンテナ、１つのコンテナ及び明示的情報要素、複数のコンテナ、又は、複数のコンテナ及び明示的情報要素の形式のうちの１つとすることができる。セカンダリ基地局の構成情報には、セカンダリ基地局におけるプライマリセル（ＰＳＣｅｌｌ）及びセカンダリセル（ＳＣｅｌｌ）の構成情報が含まれる。
【０１３２】
いくつかの実施形態では、セカンダリ基地局のセカンダリセルは、セカンダリ基地局のキャリアアグリゲーション（ＣＡ）シナリオにおけるセカンダリセルである。セカンダリセルの数は０以上である。
【０１３３】
いくつかの実施形態では、プライマリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【０１３４】
いくつかの実施形態では、セカンダリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【０１３５】
ステップ３：メッセージ及び構成情報を受信した後、ターゲットマスタ基地局は、５０８において、メッセージに含まれる測定情報及び／又は測定結果に基づいて、セカンダリ基地局を変更する必要があるかどうかを判断する。ターゲットマスタ基地局は、変更する必要があると判断した場合、５１０において、ターゲットマスタ基地局は、ターゲットセカンダリ基地局に要求を送信する。要求はターゲットマスタノードの構成情報を含むことができ、要求はまた、サービス情報及びソースセカンダリ基地局の構成情報を含むことができる。要求はまた、測定情報及び／又は測定結果を含んでいてもよい。
【０１３６】
いくつかの実施形態では、ターゲットマスタ基地局によって送信される要求は、ＳＮ追加要求メッセージである。いくつかの実装形態では、ターゲットマスタノードの構成情報、ソースセカンダリ基地局の構成情報、ならびに測定情報及び／又は測定結果は、１つのコンテナ、１つのコンテナ及び明示的情報要素、複数のコンテナ、又は、複数のコンテナ及び明示的情報要素の形式のうちの１つとすることができる。
【０１３７】
ステップ４：ターゲットマスタ基地局から要求を受信した後、ターゲットセカンダリ基地局は、５１２において、測定情報及び／又は測定結果に基づいてターゲットプライマリセルを選択し、メッセージに含まれるサービス情報に基づいてリソース割当てを実行する。ターゲットセカンダリ基地局は、ターゲットセカンダリ基地局とソースセカンダリ基地局との間の構成情報を比較して、ターゲットセカンダリ基地局のための補足構成情報を生成することができる。
【０１３８】
ステップ５：ターゲットセカンダリ基地局は、５１４において、ターゲットセカンダリ基地局に対するリソース割当てが成功したことを示す応答メッセージを介して、ターゲットマスタ基地局に補足構成情報を送信する。
【０１３９】
いくつかの実施形態では、応答メッセージは、ＳＮ追加要求確認メッセージである。いくつかの実装形態では、構成情報は、１つのコンテナ、１つのコンテナ及び明示的情報要素、複数のコンテナ、又は、複数のコンテナ及び明示的情報要素のいずれかの形式とすることができる。
【０１４０】
ステップ６：応答メッセージを受信した後、ターゲットマスタ基地局は、３１６において、応答メッセージを介して、ターゲットマスタ基地局の構成情報及び／又はターゲットセカンダリ基地局の補足構成情報をソースマスタ基地局に送信する。
【０１４１】
いくつかの実施形態では、応答メッセージは、ハンドオーバ要求確認メッセージであってもよい。ターゲットマスタ基地局の構成情報及び／又はターゲットセカンダリ基地局の補足構成情報は、応答メッセージにおいて、１つのコンテナ、１つのコンテナ及び明示的情報要素、複数のコンテナ、又は、複数のコンテナ及び明示的情報要素のうちの１つの形式とすることができる。
【０１４２】
ステップ７：応答メッセージを受信した後、ソースマスタ基地局は、５１８において、ソースセカンダリ基地局に解放要求メッセージを送信し、ソースセカンダリ基地局にリソース解放を通知する。
【０１４３】
ステップ８：ソースマスタ基地局はまた、５２０において、エアインタフェース構成メッセージを端末に送信して、関連構成情報を端末に転送する。
【０１４４】
ステップ９：端末がエアインタフェース構成を完了した後、ターゲットマスタ局及びターゲットセカンダリ基地局のランダムアクセス手順が開始され、５２２において、エアインタフェース構成成功メッセージがターゲットマスタ基地局に送信される。
【０１４５】
ステップ１０：５２４において、ターゲットマスタ基地局において応答を受信した後、ターゲットマスタ基地局は、ターゲットセカンダリ基地局に新しい接続を通知する。
【０１４６】
ステップ１１：ネットワークは、ユーザデータバックプロパゲーション及び対応するコア側上位層スイッチングプロセスを実行する。
【０１４７】
例示的な実施形態４
【０１４８】
図６は、送信の測定情報によるマスタ基地局の別の例示的な変更を示す。
【０１４９】
ステップ１：ソースマスタ基地局は、６０２において、ソースセカンダリ基地局の構成情報及び測定情報／結果を取得する。ソースマスタ基地局は、メッセージをソースセカンダリ基地局に送信することによって、情報を取得することができる。あるいは、ソースセカンダリ基地局は、その情報が変化したときに、その情報をソースマスタ基地局に送信してもよい。ソースセカンダリ基地局の取得された構成情報及び測定情報／結果は、１つのコンテナ、１つのコンテナ及び明示的情報要素、複数のコンテナ、又は、複数のコンテナ及び明示的情報要素の形式のうちの１つとすることができる。
【０１５０】
ステップ２：ソースマスタ基地局は、６０４において、基地局の変更をトリガすることを決定する。ソースマスタ基地局は、６０６において、ターゲットマスタ基地局に変更要求を送信する。変更要求には、ソースマスタ基地局の構成情報を含めることができる。変更要求は、以前に取得されたソースセカンダリ基地局の構成情報を含むこともできる。変更要求は、以前に取得されたソースセカンダリ基地局の測定情報／測定結果をさらに含むことができる。変更要求は、端末からソースマスタ基地局に送信される測定結果をさらに含むことができる。
【０１５１】
いくつかの実施形態では、メッセージは、ハンドオーバ要求メッセージであってもよい。ソース基地局の情報及びソースセカンダリ基地局の情報、ならびに測定情報／結果は、１つのコンテナ、又は１つのコンテナ及び明示的情報要素、複数のコンテナ、又は、複数のコンテナ及び明示的情報要素の形式のうちの１つとすることができる。セカンダリ基地局の構成情報には、セカンダリ基地局におけるプライマリセル（ＰＳＣｅｌｌ）及びセカンダリセル（ＳＣｅｌｌ）の構成情報が含まれる。
【０１５２】
いくつかの実施形態では、セカンダリ基地局のセカンダリセルは、セカンダリ基地局のキャリアアグリゲーション（ＣＡ）シナリオにおけるセカンダリセルである。セカンダリセルの数は０以上である。
【０１５３】
いくつかの実施形態では、プライマリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【０１５４】
いくつかの実施形態では、セカンダリセルの構成情報は、キャリア構成情報、ユーザプレーン構成情報、物理リソース共通構成情報、物理リソース固有構成情報、ＭＡＣ層構成情報、測定構成情報、及び測定結果のうちの１つ又は複数を含む。
【０１５５】
ステップ３：メッセージ及び構成情報を受信した後、ターゲットマスタ基地局は、６０８において、メッセージに含まれるソースセカンダリ基地局の測定情報／結果に基づいてセカンダリ基地局を変更する必要があるかどうかを判断する。ターゲットマスタ基地局は、変更する必要があると判断した場合、６１０において、ターゲットマスタ基地局は、ターゲットセカンダリ基地局に要求を送信する。この要求には、ターゲットマスタノードの構成情報を含めることができる。要求には、サービス情報及びソースセカンダリ基地局の構成情報を含めることもできる。要求はまた、測定情報及び／又は測定結果を含んでいてもよい。
【０１５６】
いくつかの実施形態では、ターゲットマスタ基地局によって送信される要求は、ＳＮ追加要求メッセージである。いくつかの実装形態では、ターゲットマスタノードの構成情報、ソースセカンダリ基地局の構成情報、ならびに測定情報及び／又は測定結果は、１つのコンテナ、１つのコンテナ及び明示的情報要素、複数のコンテナ、又は、複数のコンテナ及び明示的情報要素の形式のうちの１つとすることができる。
【０１５７】
ステップ４：ターゲットマスタ基地局から要求を受信した後、ターゲットセカンダリ基地局は、６１２において、測定情報及び／又は測定結果に基づいてターゲットプライマリセルを選択し、メッセージに含まれるサービス情報に基づいてリソース割当てを実行する。ターゲットセカンダリ基地局は、ターゲットセカンダリ基地局とソースセカンダリ基地局との間の構成情報を比較して、ターゲットセカンダリ基地局のための補足構成情報を生成することができる。
【０１５８】
ステップ５：ターゲットセカンダリ基地局は、６１４において、応答メッセージを介して、ターゲットセカンダリ基地局に対してリソース割当てが成功したことを示す補足構成情報をターゲットマスタ基地局に送信する。
【０１５９】
いくつかの実施形態では、応答メッセージは、ＳＮ追加要求確認メッセージである。いくつかの実装形態では、構成情報は、１つのコンテナ、１つのコンテナ及び明示的情報要素、複数のコンテナ、又は、複数のコンテナ及び明示的情報要素のいずれかの形式とすることができる。
【０１６０】
ステップ６：応答メッセージを受信した後、ターゲットマスタ基地局は、６１６において、応答メッセージを介して、ターゲットマスタ基地局の構成情報及び／又はターゲットセカンダリ基地局の補足構成情報をソースマスタ基地局に送信する。
【０１６１】
いくつかの実施形態では、応答メッセージは、ハンドオーバ要求確認メッセージであってもよい。ターゲットマスタ基地局の構成情報及び／又はターゲットセカンダリ基地局の補足構成情報は、応答メッセージにおいて、１つのコンテナ、又は１つのコンテナ及び明示的情報要素、複数のコンテナ、又は複数のコンテナ及び明示的情報要素のうちの１つの形式とすることができる。
【０１６２】
ステップ７：応答メッセージを受信した後、ソースマスタ基地局は、６１８において、ソースセカンダリ基地局に解放要求メッセージを送信し、ソースセカンダリ基地局にリソース解放を通知する。
【０１６３】
ステップ８：ソースマスタ基地局はまた、６２０において、エアインタフェース構成メッセージを端末に送信して、関連構成情報を端末に転送する。
【０１６４】
ステップ９：端末がエアインタフェース構成を完了した後、ターゲットマスタ局及びターゲットセカンダリ基地局のランダムアクセス手順が開始され、６２２において、エアインタフェース構成成功メッセージがターゲットマスタ基地局に送信される。
【０１６５】
ステップ１０：６２４において、ターゲットマスタ基地局において応答を受信した後、ターゲットマスタ基地局は、ターゲットセカンダリ基地局に新しい接続を通知する。
【０１６６】
ステップ１１：ネットワークは、ユーザデータバックプロパゲーション及び対応するコア側上位層スイッチングプロセスを実行する。
【０１６７】
本明細書に記載されている様々なメッセージ交換シナリオでは、いくつかの実施形態において、ソースマスタ基地局がターゲットマスタ基地局に構成情報を送信する際に、ソースマスタ基地局の情報及びソースセカンダリ基地局の情報を送信してもよい。いくつかの実施形態では、ターゲットマスタ基地局が構成情報をターゲットセカンダリ基地局に送信するとき、その情報はターゲットマスタ基地局の情報、及びソースセカンダリ基地局の情報も含むことができる。
【０１６８】
図８は、例示的な無線通信方法８００のフローチャート表現である。方法８００は、８０２において、第１のコアネットワークとユーザ装置との間のコネクティビティを提供することを含む。方法８００はまた、８０４において、第２のネットワーク要素の構成情報を通信することを含む。
【０１６９】
いくつかの実施形態では、方法は、第１のコアネットワークとユーザ装置との間の接続を提供するために、無線通信ネットワーク内の第１のネットワーク要素を動作させることであって、無線通信ネットワークは、第１のコアネットワークとユーザ装置との間のセカンダリ接続を提供するように構成された第２のネットワーク要素を含む、動作させることと、第１のネットワーク要素によって、第２のコアネットワークとのコネクティビティを提供するように構成された第３のネットワーク要素へのハンドオーバにおいて、第２のネットワーク要素の構成情報を第３のネットワーク要素に通信することと、を含む。
【０１７０】
図９は、別の例示的な無線通信方法９００のフローチャート表現である。方法９００は、９０２において、コアネットワークへのコネクティビティを提供することと、９０４において、セカンダリコネクティビティを提供するネットワーク要素の情報を受信することと、９０６において、セカンダリコネクティビティを提供するネットワーク要素を選択的に決定することと、を含む。
【０１７１】
いくつかの実施形態では、方法は、第１のネットワーク要素を動作させて、第１のコアネットワークにコネクティビティを提供することと、第２のネットワーク要素からユーザ装置がハンドオーバされたときに、第２のコアネットワークにコネクティビティを提供する第２のネットワーク要素からの情報を受信することであって、情報は第２のコアネットワークにセカンダリコネクティビティを提供する第３のネットワーク要素の特性を識別する、受信することと、情報に基づいて、第３のネットワーク要素と第１のネットワーク要素の第４のネットワーク要素との間のセカンダリコネクティビティネットワーク要素を選択的に決定することであって、第４のネットワーク要素は第１のコアネットワークにコネクティビティを提供するように構成される、決定することと、を含む。
【０１７２】
図１０は、無線通信装置の一例を示すブロック図である。装置１０００は、基地局又は無線装置（又は端末）のように、本明細書で示される無線技術のうちの１つ又は複数を実装するマイクロプロセッサのようなプロセッサエレクトロニクス１０１０を有することができる。装置１０００は、アンテナ１０２０などの１つ又は複数の通信インタフェースを介して無線信号を送信及び／又は受信するためのトランシーバエレクトロニクス１０１５を有することができる。装置１０００は、データを送受信するための他の通信インタフェースを有することができる。装置１０００は、データ及び／又は命令などの情報を記憶するように構成された１つ又は複数のメモリ１００５を有することができる。いくつかの実装形態では、プロセッサエレクトロニクス１０１０は、トランシーバエレクトロニクス１０１５の少なくとも一部を有することができる。いくつかの実施形態では、開示された技法、モジュール、又は機能のうちの少なくともいくつかは装置１０００を使用して実装される。
【０１７３】
図１１は、本技術の１つ又は複数の実施形態による技法を適用することができる無線通信ネットワークの例を示す。無線通信システム１３００は、１つ以上の基地局（ＢＳｓ）１３０２、１つ以上の無線装置１３０６、及びコアネットワーク１３１２を有することができる。基地局１３０２は、１つ以上の無線セクタの無線装置１３０６に無線サービスを提供することができる。いくつかの実装形態では、基地局１３０２は、異なるセクタにおいて無線カバレッジを提供するために２つ以上の指向性ビームを生成する指向性アンテナを有する。
【０１７４】
コアネットワーク１３１２は、他の無線通信システム及び有線通信システムとのコネクティビティを提供する。コアネットワークは、サブスクライブされた無線装置１３０６に関連する情報を記憶するために、１つ以上のサービスサブスクリプションデータベースを有することができる。第１の基地局は、第１の無線アクセス技術に基づいて無線サービスを提供することができ、第２の基地局は、第２の無線アクセス技術に基づいて無線サービスを提供することができる。基地局は、配備シナリオに従って、同じ場所に配置されてもよく、又はフィールドに別々にインストールされてもよい。
【０１７５】
いくつかの実装形態では、無線通信システムは、異なる無線技術を使用する複数のネットワークを含むことができる。デュアルモード又はマルチモード無線デバイスは、異なる無線ネットワークに接続するために使用され得る２つ以上の無線技術を含む。
【０１７６】
このように、本明細書で開示されている技術は、マスタ基地局とセカンダリ基地局の同時変更をサポートするための伝送を構成する方法及び装置を提供することが明らかである。ターゲットセカンダリ基地局はまた、エアインタフェースの完全な再構成なしにソースセカンダリ基地局に関する情報を取得することができ、それによってユーザデータパケット損失を回避し、良好なユーザ体験を維持することができる。
【０１７７】
本明細書で説明されている開示された実施形態及び他の実施形態、モジュール及び機能操作は、本明細書で開示された構造及びそれらの構造の同等物を含む、デジタル電子回路内、又はコンピュータソフトウェア、ファームウェア若しくはハードウェア内、又はこれらの１つ又は複数の組み合わせで実施することができる。開示された実施形態及び他の実施形態は、１つ又は複数のコンピュータプログラム製品、すなわち、データ処理装置による実行のために、又はデータ処理装置の動作を制御するために、コンピュータ可読媒体上に符号化されたコンピュータプログラム命令の１つ又は複数のモジュールとして実装することができる。コンピュータ可読媒体は、機械可読記憶デバイス、機械可読記憶基板、メモリデバイス、機械可読伝播信号に影響を及ぼす物質の組成物、又はそれらの１つ又は複数の組み合わせとすることができる。用語「データ処理装置」は、例として、プログラマブルプロセッサ、コンピュータ、又は複数のプロセッサ若しくはコンピュータを含む、データを処理するためのすべての装置、デバイス、及び機械を包含する。装置は、ハードウェアに加えて、当該コンピュータプログラムのための実行環境を生成するコード、例えば、プロセッサファームウェア、プロトコルスタック、データベース管理システム、オペレーティングシステム、又はそれらのうちの１つ又は複数の組合せを構成するコードを含むことができる。伝搬信号は、人工的に生成された信号、例えば、適切な受信装置への送信のために情報を符号化するために生成される機械生成電気信号、光信号、又は電磁信号である。
【０１７８】
コンピュータプログラム（プログラム、ソフトウェア、ソフトウェアアプリケーション、スクリプト、又はコードとしても知られる）は、コンパイルされた言語又は解釈された言語を含む、任意の形態のプログラミング言語で書くことができ、スタンドアロンプログラムとして、又はモジュール、コンポーネント、サブルーチン、若しくはコンピューティング環境で使用するのに適した他のユニットとして含む、任意の形態で展開することができる。コンピュータプログラムは、必ずしもファイルシステム内のファイルに対応する必要はない。プログラムは、他のプログラム又はデータ（例えば、マークアップ言語文書に格納された１つ又は複数のスクリプト）を保持するファイルの一部、当該プログラム専用の単一のファイル、又は複数の調整されたファイル（例えば、１つ又は複数のモジュール、サブプログラム、又はコードの一部を格納するファイル）に格納することができる。コンピュータプログラムは、１つのサイトに配置された、又は複数のサイトにわたって分散され、通信ネットワークによって相互接続された、１つのコンピュータ上で、又は複数のコンピュータ上で実行されるように展開することができる。
【０１７９】
本明細書で説明したプロセスとロジックの流れは、入力データを操作して出力を生成することによって機能を果たすために、１つ又は複数のコンピュータプログラムを実行する１つ又は複数のプログラマブルプロセッサによって実行することができる。プロセス及び論理フローは、ＦＰＧＡ（フィールドプログラマブルゲートアレイ）又はＡＳＩＣ（特定用途向け集積回路）などの専用論理回路によって実行することもでき、装置は、専用論理回路として実装することもできる。
【０１８０】
コンピュータプログラムの実行に適したプロセッサには、例として、汎用マイクロプロセッサと専用マイクロプロセッサの両方、及び任意の種類のデジタルコンピュータの任意の１つ又は複数のプロセッサが含まれる。一般に、プロセッサは、読み出し専用メモリ又はランダムアクセスメモリ又はその両方から命令及びデータを受信する。コンピュータの本質的な要素は、命令を実行するためのプロセッサと、命令及びデータを記憶するための１つ又は複数のメモリデバイスである。一般に、コンピュータはまた、データを記憶するための、例えば磁気ディスク、光磁気ディスク、又は光ディスクの１つ又は複数の大容量記憶装置を含むか、又は、それらからデータを受信するか、若しくはそれらにデータを転送するか、若しくはそれらの両方を行うように動作可能に結合される。しかしながら、コンピュータは、そのような装置を有する必要はない。コンピュータプログラム命令及びデータを記憶するのに適したコンピュータ可読媒体には、例として、例えばＥＰＲＯＭ、ＥＥＰＲＯＭ、及びフラッシュメモリデバイスなどの半導体メモリデバイス；例えば内部ハードディスク又はリムーバブルディスクなどの磁気ディスク；並びにＣＤ  ＲＯＭ及びＤＶＤ−ＲＯＭディスクなどの光磁気ディスクを含む、すべての形態の不揮発性メモリ、媒体、及びメモリデバイスが含まれる。プロセッサ及びメモリは、特殊目的論理回路によって補足され得るか、又は特殊目的論理回路に組み込まれ得る。
【０１８１】
本明細書は多くの詳細を含むが、これらは、特許請求される発明の範囲又は特許請求され得る発明の範囲に対する限定として解釈されるべきではなく、むしろ、特定の実施形態に特有の特徴の説明として解釈されるべきである。別個の実施形態の文脈で本明細書に記載されている特定の特徴は、単一の実施形態においても組み合わせて実施することができる。逆に、単一の実施形態の文脈で説明される様々な特徴は、複数の実施形態で別々に、又は任意の適切なサブコンビネーションで実装することもできる。さらに、特徴は、特定の組み合わせで動作するものとして上記で説明されてもよく、そのようなものとして最初に特許請求されてもよいが、特許請求される組み合わせからの１つ又は複数の特徴は、場合によっては、その組み合わせから削除されてもよく、特許請求される組み合わせは、サブコンビネーション又はサブコンビネーションの変形に向けられてもよい。同様に、動作は、特定の順序で図面に示されているが、これは、望ましい結果を達成するために、そのような動作が、示された特定の順序で、又は連続的な順序で実行されること、又は示されたすべての動作が実行されることを必要とするものとして理解されるべきではない。
【０１８２】
いくつかの実施例及び実装例のみが開示される。説明された実施例及び実装例、並びに他の実装例に対する変形、修正、及び強化は、開示されたものに基づいて行われ得る。
【図１】
2020535743.tif 000003
【図２】
2020535743.tif 000004
【図３】
2020535743.tif 000005
【図４】
2020535743.tif 000006
【図５】
2020535743.tif 000007
【図６】
2020535743.tif 000008
【図７】
2020535743.tif 000009
【図８】
2020535743.tif 000010
【図９】
2020535743.tif 000011
【図１０】
2020535743.tif 000012
【図１１】
2020535743.tif 000013
【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
第１のコアネットワークへのコネクティビティを提供するために無線通信ネットワークにおいて第１のネットワーク要素を動作させることと、
第２のネットワーク要素からのユーザ装置のハンドオーバにおける前記第１のネットワーク要素によって、前記第２のネットワーク要素から情報を受信することであって、前記第２のネットワーク要素は前記ユーザ装置と第２のコアネットワークとの間のコネクティビティを提供し、前記情報は前記ユーザ装置と前記第２のコアネットワークとの間のセカンダリコネクティビティを提供する第３のネットワーク要素の特性を識別する、受信することと、
前記第３のネットワーク要素の特性を識別する前記情報に部分的に基づいて、前記第１のネットワーク要素のセカンダリコネクティビティネットワーク要素を選択的に決定することと、を含む無線通信方法。
【請求項２】
前記セカンダリコネクティビティネットワーク要素は、新たに選択された第４のネットワーク要素を有し、前記方法は、前記第３のネットワーク要素の前記情報を前記第４のネットワーク要素に送信することをさらに含む、請求項１に記載の方法。
【請求項３】
前記第３のネットワーク要素の前記情報は、複数のコンテナを使用して送信される、請求項２に記載の方法。
【請求項４】
前記第１のコアネットワーク及び前記第２のコアネットワークは、同じコアネットワークである請求項１に記載の方法。
【請求項５】
前記第１のコアネットワーク及び前記第２のコアネットワークは、異なるコアネットワークである請求項１に記載の方法。
【請求項６】
前記第２のネットワーク要素及び前記第１のネットワーク要素は、第１の無線アクセス技術（ＲＡＴ）を使用して動作する、請求項１に記載の方法。
【請求項７】
前記第１のＲＡＴは、第４世代（４Ｇ）ＲＡＴ技術である請求項６に記載の方法。
【請求項８】
前記第１のＲＡＴは、第５世代（５Ｇ）ＲＡＴ技術である請求項６に記載の方法。
【請求項９】
前記第３のネットワーク要素及び前記第１のネットワーク要素の前記セカンダリコネクティビティネットワーク要素は、第２のＲＡＴを使用して動作する、請求項１に記載の方法。
【請求項１０】
プロセッサと、
プロセッサ実行可能命令を格納するメモリと、を備え、
前記プロセッサ実行可能命令は、前記プロセッサによる実行時に、前記プロセッサに、
無線通信ネットワークにおいて、第１のコアネットワークにコネクティビティを提供するために第１のネットワーク要素として動作させ、
第２のネットワーク要素からのユーザ装置のハンドオーバにおいて、前記第２のネットワーク要素から情報を受信させ、前記第２のネットワーク要素は前記ユーザ装置と第２のコアネットワークとの間のコネクティビティを提供し、前記情報は前記ユーザ装置と前記第２のコアネットワークとの間のセカンダリコネクティビティを提供する第３のネットワーク要素の特性を識別し、
前記第３のネットワーク要素の特性を識別する前記情報に部分的に基づいて、セカンダリコネクティビティネットワーク要素を選択的に決定させる無線通信装置。
【請求項１１】
第１のコアネットワークへのコネクティビティを提供するために無線通信ネットワークにおいて第１のネットワーク要素を動作させることと、
第２のネットワーク要素からのユーザ装置のハンドオーバにおける前記第１のネットワーク要素によって、前記第２のネットワーク要素から情報を受信することであって、前記第２のネットワーク要素は前記ユーザ装置と第２のコアネットワークとの間のコネクティビティを提供し、前記情報は前記ユーザ装置と前記第２のコアネットワークとの間のセカンダリコネクティビティを提供する第３のネットワーク要素の特性を識別する、受信することと、
前記第３のネットワーク要素の特性を識別する前記情報に部分的に基づいて、前記第１のネットワーク要素のセカンダリコネクティビティネットワーク要素を選択的に決定することと、を含む方法を実行するためのコードを有する非一時的コンピュータ可読プログラム媒体。
【請求項１２】
前記セカンダリコネクティビティネットワーク要素は、新たに選択された第４のネットワーク要素を有し、前記方法は、前記第３のネットワーク要素の前記情報を前記第４のネットワーク要素に送信することをさらに含む、請求項１０に記載の装置。
【請求項１３】
前記第３のネットワーク要素の前記情報は、複数のコンテナを使用して送信される、請求項１０に記載の装置。
【請求項１４】
前記第１のコアネットワーク及び前記第２のコアネットワークは、同じコアネットワークである請求項１０に記載の装置。
【請求項１５】
前記第１のコアネットワーク及び前記第２のコアネットワークは、異なるコアネットワークである請求項１０に記載の装置。
【請求項１６】
前記第１のネットワーク要素及び前記第２のネットワーク要素は、第１の無線アクセス技術（ＲＡＴ）を使用して動作する、請求項１０に記載の装置。
【請求項１７】
前記第１のＲＡＴは、第４世代（４Ｇ）ＲＡＴ技術である請求項１６に記載の装置。
【請求項１８】
前記第１のＲＡＴは、第５世代（５Ｇ）ＲＡＴ技術である請求項１６に記載の装置。
【請求項１９】
前記第３のネットワーク要素及び前記第１のネットワーク要素の前記セカンダリコネクティビティネットワーク要素は、第２のＲＡＴを使用して動作する、請求項１０に記載の装置。
【国際調査報告】
2020535743.tif 000014
2020535743.tif 000015